(57)【特許請求の範囲】
【請求項１】
磁性材料により内部が燃料通路となる筒状に形成され軸方向の一側が弁座部材取付部，中間部位がアクチュエータ取付部，他側が樹脂カバー成形部となった磁性筒体と、該磁性筒体の弁座部材取付部に設けられ噴射口を囲んで弁座が形成された弁座部材と、前記磁性筒体内に変位可能に設けられ該弁座部材の弁座に離着する弁体と、前記磁性筒体のアクチュエータ取付部に設けられ該弁体を開，閉させる電磁アクチュエータと、前記磁性筒体の樹脂カバー成形部に樹脂成形して設けられた樹脂カバーとからなる燃料噴射弁において、
前記磁性筒体は、磁性材料からなる単一の金属パイプを用いて前記弁座部材取付部、アクチュエータ取付部および樹脂カバー成形部を一体に形成すると共に、該樹脂カバー成形部の内径は、前記弁座部材取付部およびアクチュエータ取付部よりも大径に形成し、
かつ前記磁性筒体は、前記弁座部材取付部とアクチュエータ取付部とに亘る肉厚寸法を０．１〜０．９ｍｍに形成し、前記樹脂カバー成形部の肉厚寸法を前記弁座部材取付部とアクチュエータ取付部とに亘る肉厚寸法に対して少なくとも０．１ｍｍ以上大きく形成する構成としたことを特徴とする燃料噴射弁。
【請求項２】
磁性材料により内部が燃料通路となる筒状に形成され軸方向の一側が弁座部材取付部，中間部位がアクチュエータ取付部，他側が樹脂カバー成形部となった磁性筒体と、前記磁性筒体の弁座部材取付部に設けられ噴射口を囲んで弁座が形成された弁座部材と、前記磁性筒体内に変位可能に設けられ該弁座部材の弁座に離着する弁体と、前記磁性筒体のアクチュエータ取付部に設けられ該弁体を開，閉させる電磁アクチュエータと、前記磁性筒体の樹脂カバー成形部に樹脂成形して設けられた樹脂カバーとからなる燃料噴射弁において、
前記磁性筒体は、磁性材料からなる単一の金属パイプを用いて前記弁座部材取付部、アクチュエータ取付部および樹脂カバー成形部を一体に形成すると共に、該樹脂カバー成形部の内径は、前記弁座部材取付部およびアクチュエータ取付部よりも大径に形成し、
かつ前記磁性筒体は、前記弁座部材取付部の肉厚寸法を０．１〜０．９ｍｍに形成し、前記アクチュエータ取付部と樹脂カバー成形部とに亘る肉厚寸法を前記弁座部材取付部の肉厚寸法に対して少なくとも０．１ｍｍ以上大きく形成する構成としたことを特徴とする燃料噴射弁。
【請求項３】
前記磁性筒体のアクチュエータ取付部の内周側には前記弁体と軸方向の隙間を挟んで対面するコア部材を設け、前記電磁アクチュエータは前記アクチュエータ取付部の外周側に挿嵌されたコイルボビンと該コイルボビンに巻装されたコイルにより構成し、前記電磁アクチュエータの外周側には前記電磁アクチュエータを挟んだ軸方向の両側で前記磁性筒体と磁気的に連結された磁路形成部材を設けてなる請求項１または２に記載の燃料噴射弁。
【請求項４】
前記樹脂カバーは前記磁性筒体の樹脂カバー成形部の外周側に射出成形して設け、前記樹脂カバーには前記電磁アクチュエータに給電するコネクタを一体に設けてなる請求項１，２または３に記載の燃料噴射弁。
【請求項５】
前記磁性筒体のアクチュエータ取付部の内周側には前記弁体と軸方向の隙間を挟んで対面するコア部材を設け、前記磁性筒体には前記隙間が形成される位置で前記磁性筒体の磁気抵抗を増大させる薄肉部を設けてなる請求項１または２に記載の燃料噴射弁。
【発明の詳細な説明】
【０００１】
【発明の属する技術分野】
本発明は、例えば自動車用エンジン等に燃料を噴射するのに好適に用いられる燃料噴射弁に関する。
【０００２】
【従来の技術】
一般に、例えば自動車用エンジン等に用いられる燃料噴射弁は、弁ケーシング内に弁体が変位可能に挿通されている。そして、噴射弁の作動時には、電磁コイル等のアクチュエータが作動することによって弁体が開弁すると、弁ケーシング内の燃料通路に供給される燃料がエンジンの吸気管等に向けて噴射されるものである（例えば、特開２０００−８９９０号公報等）。
【０００３】
この種の従来技術による燃料噴射弁は、弁ケーシングとなる磁性筒体が金属パイプ等により形成され、該磁性筒体は、その軸方向一側（先端側）に位置する弁座部材取付部と、軸方向の中間部位に位置するアクチュエータ取付部と、軸方向他側（基端側）に位置する樹脂カバー成形部とを有している。
【０００４】
また、磁性筒体の弁座部材取付部には、例えば金属製のホルダ等を介して筒状の弁座部材が設けられ、該弁座部材には、磁性筒体内に挿通された弁体が離着座する弁座が設けられている。また、アクチュエータ取付部の外周側には電磁コイルが取付けられ、樹脂カバー成形部の外周側には、例えば射出成形等の手段により樹脂カバーが樹脂成形されると共に、該樹脂カバーには、電磁コイルに給電するためのコネクタが一体に設けられている。
【０００５】
そして、噴射弁の作動時には、電磁コイルに給電すると、電磁コイルから発生する磁界により弁体が磁気的に吸引されて軸方向に変位し、これにより弁体は弁座部材から離座して開弁するものである。
【０００６】
【発明が解決しようとする課題】
ところで、上述した従来技術では、例えば樹脂カバーを磁性筒体の外周側に射出成形するときに、射出成形用の樹脂型内に樹脂材料を高い圧力（射出圧）で注入する必要があり、この樹脂材料の圧力は中空構造をもつ磁性筒体に径方向外側から加わるようになる。従って、磁性筒体は、樹脂材料の射出圧によって変形しないように、例えば厚肉な金属パイプ等を用いて形成しておく必要があり、その肉厚寸法は、噴射弁の実用上の強度を確保するために必要とされる肉厚寸法よりも大きな寸法となることが多い。
【０００７】
このため、従来技術では、磁性筒体に余分な肉厚を与えて射出成形時の強度を確保しなければならず、その外径や重量が必要以上に増大することがあるため、噴射弁を小型化するのが難しいという問題がある。
【０００８】
本発明は上述した従来技術の問題に鑑みなされたもので、本発明の目的は、磁性筒体の強度を樹脂カバーの取付部位等において確保でき、樹脂カバーを円滑に樹脂成形できると共に、磁性筒体を可能な限り薄肉化でき、磁性筒体を含めて噴射弁全体を軽量化できるようにした燃料噴射弁を提供することにある。
【０００９】
【課題を解決するための手段】
上述した課題を解決するために本発明は、磁性材料により内部が燃料通路となる筒状に形成され軸方向の一側が弁座部材取付部，中間部位がアクチュエータ取付部，他側が樹脂カバー成形部となった磁性筒体と、該磁性筒体の弁座部材取付部に設けられ噴射口を囲んで弁座が形成された弁座部材と、磁性筒体内に変位可能に設けられ該弁座部材の弁座に離着する弁体と、磁性筒体のアクチュエータ取付部に設けられ該弁体を開，閉させる電磁アクチュエータと、磁性筒体の樹脂カバー成形部に樹脂成形して設けられた樹脂カバーとからなる燃料噴射弁に適用される。
【００１０】
そして、請求項１の発明が採用する構成の特徴は、磁性筒体は、磁性材料からなる単一の金属パイプを用いて前記弁座部材取付部、アクチュエータ取付部および樹脂カバー成形部を一体に形成すると共に、該樹脂カバー成形部の内径は、前記弁座部材取付部およびアクチュエータ取付部よりも大径に形成し、かつ前記磁性筒体は、前記弁座部材取付部とアクチュエータ取付部とに亘る肉厚寸法を０．１〜０．９ｍｍに形成し、前記樹脂カバー成形部の肉厚寸法を前記弁座部材取付部とアクチュエータ取付部とに亘る肉厚寸法に対して少なくとも０．１ｍｍ以上大きく形成する構成としたことにある。
【００１１】
このように構成することにより、磁性筒体のうち弁座部材取付部とアクチュエータ取付部とに亘る部位を可能な限り薄肉に形成でき、磁性筒体を軽量化することができる。また、これらの薄肉部位よりも樹脂カバー成形部を厚肉に形成できるから、樹脂カバー成形部には、例えば樹脂カバーを成形するときに受ける圧力等に対応した十分な強度を与えることができる。
【００１２】
一方、請求項２の発明によると、磁性筒体は、磁性材料からなる単一の金属パイプを用いて前記弁座部材取付部、アクチュエータ取付部および樹脂カバー成形部を一体に形成すると共に、該樹脂カバー成形部の内径は、前記弁座部材取付部およびアクチュエータ取付部よりも大径に形成し、かつ前記磁性筒体は、前記弁座部材取付部の肉厚寸法を０．１〜０．９ｍｍに形成し、前記アクチュエータ取付部と樹脂カバー成形部とに亘る肉厚寸法を前記弁座部材取付部の肉厚寸法に対して少なくとも０．１ｍｍ以上大きく形成する構成としている。
【００１３】
これにより、磁性筒体は、弁座部材取付部を可能な限り薄肉に形成できると共に、樹脂カバー成形部とアクチュエータ取付部とに亘る部位を厚肉に形成することができる。従って、例えば電磁アクチュエータの外周側に樹脂カバーの一部を配置する構成とした場合に、樹脂カバー成形時の圧力等が電磁アクチュエータの近傍の隙間等を介してアクチュエータ取付部に加わったとしても、アクチュエータ取付部が変形するのを防止することができる。
【００１４】
また、請求項３の発明によると、磁性筒体のアクチュエータ取付部の内周側には前記弁体と軸方向の隙間を挟んで対面するコア部材を設け、前記電磁アクチュエータは前記アクチュエータ取付部の外周側に挿嵌されたコイルボビンと該コイルボビンに巻装されたコイルにより構成し、前記電磁アクチュエータの外周側には前記電磁アクチュエータを挟んだ軸方向の両側で前記磁性筒体と磁気的に連結された磁路形成部材を設ける構成としている。
【００１５】
これにより、電磁アクチュエータに給電したときには、弁体、コア部材、磁性筒体、磁路形成部材等を介して電磁アクチュエータの内周側と外周側とに亘る閉磁路を形成でき、弁体とコア部材との間の隙間を磁界が通過するようになるので、弁体をコア部材により磁気的に吸着して開弁させることができる。
【００１６】
さらに、請求項４の発明によると、樹脂カバーは前記磁性筒体の樹脂カバー成形部の外周側に射出成形して設け、前記樹脂カバーには前記電磁アクチュエータに給電するコネクタを一体に設ける構成としている。
【００１７】
これにより、磁性筒体のうち厚肉に形成された樹脂カバー成形部の外周側に樹脂材料を射出成形でき、樹脂カバーとコネクタとを一体に樹脂成形することができる。
【００１８】
また、請求項５の発明によると、磁性筒体のアクチュエータ取付部の内周側には前記弁体と軸方向の隙間を挟んで対面するコア部材を設け、前記磁性筒体には前記隙間が形成される位置で前記磁性筒体の磁気抵抗を増大させる薄肉部を設ける構成としている。
【００１９】
これにより、磁性筒体のうち弁体が配置された部位とコア部材が配置された部位との間を薄肉部によって磁気的に遮断することができる。従って、電磁アクチュエータによる磁界が弁体とコア部材との間の隙間を通過するときには、この磁界が磁性筒体によって短絡されるのを防止することができる。
【００２０】
【発明の実施の形態】
以下、本発明の実施の形態による燃料噴射弁を、添付図面を参照して詳細に説明する。
【００２１】
ここで、図１ないし図７は本発明による第１の実施の形態を示し、本実施の形態では、自動車用エンジンに用いられる燃料噴射弁を例に挙げて述べる。
【００２２】
１は燃料噴射弁の外殻をなす弁ケーシングで、該弁ケーシング１は、後述の磁性筒体２、磁性カバー１２、樹脂カバー１４等を含んで構成されている。
【００２３】
２は弁ケーシング１の本体部分を構成する磁性筒体で、該磁性筒体２は、例えば電磁ステンレス鋼等の磁性金属材料により形成された金属パイプ等からなり、例えば深絞り等のプレス加工、研削加工等の手段を用いることにより、図１、図４に示す如く段付き筒状をなして一体に形成されている。
【００２４】
ここで、磁性筒体２は、その軸方向一側（先端側）に位置して後述の弁座部材５が嵌合された弁座部材取付部２Ａと、該弁座部材取付部２Ａの軸方向他側（基端側）に位置して後述の電磁コイル１１が取付けられたアクチュエータ取付部２Ｂと、該アクチュエータ取付部２Ｂの基端側に位置して後述の樹脂カバー１４が取付けられた樹脂カバー成形部２Ｃとを含んで構成されている。
【００２５】
そして、弁座部材取付部２Ａとアクチュエータ取付部２Ｂとは、図４に示す如く、例えば０．１〜０．９ｍｍ程度、好ましくは０．２〜０．５ｍｍ程度の予め定められた肉厚寸法ａを有し、弁座部材取付部２Ａはアクチュエータ取付部２Ｂよりも小径に形成されている。また、アクチュエータ取付部２Ｂの長さ方向途中部位には、その肉厚寸法ａよりも小さな肉厚寸法ｔを有する環状の薄肉部２Ｄが設けられ（ａ＞ｔ）、該薄肉部２Ｄは、後述の弁体７とコア筒８との間の隙間Ｓを取囲んで配置されている。これにより、アクチュエータ取付部２Ｂは、後述の弁体７が変位可能に収容された弁体側筒部２Ｂ1と後述のコア筒８が挿嵌されるコア筒側筒部２Ｂ2とに分割され、薄肉部２Ｄは、これらの筒部２Ｂ1，２Ｂ2間の磁気抵抗を増大させると共に、筒部２Ｂ1，２Ｂ2間を磁気的に遮断している。
【００２６】
一方、樹脂カバー成形部２Ｃの内径は、図４に示す如く弁座部材取付部２Ａ、アクチュエータ取付部２Ｂよりも大径に形成されている。また、樹脂カバー成形部２Ｃは、後述の如く樹脂カバー１４を成形するときの圧力に耐えるように弁座部材取付部２Ａ等の肉厚寸法ａよりも大きな所定の肉厚寸法ｂをもって形成され、これらの肉厚寸法ａ，ｂ間には、下記数１の式に示す如く、少なくとも０．１ｍｍ以上の寸法差が与えられている。
【００２７】
【数１】
ｂ≧ａ＋０．１
【００２８】
この場合、樹脂カバー成形部２Ｃの肉厚寸法ｂは、肉厚寸法ａとの寸法差を０．１ｍｍとすれば、例えば０．２〜１．０ｍｍ程度、好ましくは０．３〜０．６ｍｍ程度の寸法値として設定されている。
【００２９】
これにより、磁性筒体２は、弁座部材取付部２Ａとアクチュエータ取付部２Ｂとに亘る部位が薄肉部位Ａとして形成され、樹脂カバー成形部２Ｃが厚肉部位Ｂとして形成されているものである。また、磁性筒体２内には、樹脂カバー成形部２Ｃから弁座部材５の位置まで軸方向に延びた燃料通路３と、該燃料通路３内に供給される燃料を濾過する燃料フィルタ４とが設けられている。
【００３０】
５は磁性筒体２の弁座部材取付部２Ａ内に嵌合して設けられた筒状の弁座部材で、該弁座部材５には、図２に示す如く、燃料通路３内の燃料を外部に噴射する噴射口５Ａと、該噴射口５Ａを取囲んで形成された略円錐状の弁座５Ｂとが設けられている。そして、弁座部材５は、その外周側が弁座部材取付部２Ａと全周に亘って溶接されている。また、弁座部材５の先端面には、複数のノズル孔６Ａが穿設されたノズルプレート６が噴射口５Ａを覆う位置に固着されている。
【００３１】
７は磁性筒体２のアクチュエータ取付部２Ｂ（弁体側筒部２Ｂ1）内に変位可能に収容された弁体で、該弁体７は、図２に示す如く、軸方向に延びた筒状の弁軸７Ａと、該弁軸７Ａの先端側に固着され、弁座部材５の弁座５Ｂに離着座する球状の弁体７Ｂと、例えば磁性金属材料等により弁軸７Ａの基端側に形成され、磁性筒体２内に摺動可能に挿嵌された筒状の吸着部７Ｃとにより構成されている。
【００３２】
そして、弁体７の閉弁時には、その弁部７Ｂが後述する付勢ばね９のばね力によって弁座部材５の弁座５Ｂに着座した状態に保持され、このとき吸着部７Ｃの基端面とコア筒８とは、軸方向の隙間Ｓを挟んで対面している。また、後述の電磁コイル１１に給電したときには、電磁コイル１１により図２中の磁界Ｈが形成されると、弁体７は、その吸着部７Ｃがコア筒８によって磁気的に吸着され、付勢ばね９のばね力に抗して隙間Ｓの寸法分だけ軸方向に変位することにより、弁座５Ｂから離座して開弁するものである。
【００３３】
８は例えば磁性金属材料等により筒状に形成されたコア部材としてのコア筒で、該コア筒８は、磁性筒体２のアクチュエータ取付部２Ｂ（コア筒側筒部２Ｂ2）内に圧入等の手段により挿嵌され、弁体７の吸着部７Ｃと対面する位置でアクチュエータ取付部２Ｂに固定されている。
【００３４】
９は磁性筒体２内に設けられた付勢ばねで、該付勢ばね９は、コア筒８の内周側に圧入等の手段により固定された筒状のばね受１０と弁体７との間に圧縮状態で配設され、弁体７を閉弁方向に常時付勢している。
【００３５】
１１は磁性筒体２のアクチュエータ取付部２Ｂ（コア筒側筒部２Ｂ2）の外周側に挿嵌して設けられた電磁アクチュエータとしての電磁コイルで、該電磁コイル１１は、図２に示す如く、樹脂材料により形成された筒状のコイルボビン１１Ａと、該コイルボビン１１Ａに巻装されたコイル１１Ｂとにより構成され、磁性筒体２と磁性カバー１２との間に収容されている。そして、電磁コイル１１は、後述のコネクタ１５を用いて給電されることにより磁界Ｈを発生し、弁体７を付勢ばね９のばね力に抗して開弁させるものである。
【００３６】
１２は例えば磁性金属材料等により段付き筒状に形成された磁路形成部材としての磁性カバーで、該磁性カバー１２は、図２、図３に示す如く、電磁コイル１１の外周側に設けられた大径筒部１２Ａと、該大径筒部１２Ａの先端側に一体に形成され、磁性筒体２のアクチュエータ取付部２Ｂ（弁体側筒部２Ｂ1）の外周側に嵌合、固着された小径筒部１２Ｂとによって構成されている。
【００３７】
ここで、大径筒部１２Ａと磁性筒体２のアクチュエータ取付部２Ｂとの間に形成される環状の空間には、例えば磁性金属材料等により略Ｃ字状に形成された連結コア１３が挿嵌されている。これにより、磁性カバー１２は、小径筒部１２Ｂと連結コア１３とによって電磁コイル１１を挟んだ軸方向の両側で磁性筒体２と磁気的に連結されている。
【００３８】
そして、電磁コイル１１の作動時には、磁性筒体２の弁体側筒部２Ｂ1とコア筒側筒部２Ｂ2とが薄肉部２Ｄによって磁気的にほぼ遮断されているため、これらの弁体側筒部２Ｂ1とコア筒側筒部２Ｂ2と、弁体７の吸着部７Ｃ、コア筒８、磁性カバー１２、連結コア１３とに沿って磁界Ｈを安定的に形成でき、弁体７をコア筒８により磁気的に吸着して開弁させることができる。
【００３９】
１４は例えば射出成形等の手段を用いて磁性筒体２の樹脂カバー成形部２Ｃの外周側に設けられた樹脂カバーで、該樹脂カバー１４は、図１に示す如く、樹脂カバー成形部２Ｃと磁性カバー１２の大径筒部１２Ａとを径方向外側から覆っている。また、樹脂カバー１４には、電磁コイル１１に給電するコネクタ１５が一体に樹脂成形され、該コネクタ１５は端子ピン１５Ａを有している。
【００４０】
ここで、樹脂カバー１４を射出成形するときには、後述の図６に示す如く、磁性筒体２の樹脂カバー成形部２Ｃに樹脂材料の高い射出圧が加わる。このため、本実施の形態では、磁性筒体２のうち樹脂カバー成形部２Ｃのみを厚肉に形成することにより、磁性筒体２の弁座部材取付部２Ａ、アクチュエータ取付部２Ｂ、薄肉部２Ｄ等を可能な限り薄肉化しつつ、樹脂カバー成形部２Ｃには樹脂材料の射出圧に応じた十分な強度を与える構成としているものである。
【００４１】
本実施の形態による燃料噴射弁は上述の如き構成を有するもので、次にその作動について説明する。
【００４２】
まず、噴射弁の作動時には、コネクタ１５から電磁コイル１１に給電すると、図２に示す如く磁界Ｈが形成され、この磁界Ｈは弁体７の吸着部７Ｃとコア筒８との間の隙間Ｓを通過するようになる。この結果、弁体７はコア筒８によって磁気的に吸着され、付勢ばね９に抗して軸方向に変位するようになり、弁部７Ｂが弁座部材５の弁座５Ｂから離座して開弁する。これにより、燃料通路３内に供給される燃料は、噴射口５Ａからエンジンの吸気管等に向けて噴射される。
【００４３】
また、噴射弁の組立作業について述べると、まず図４に示す磁性筒体形成工程では、例えば深絞り等のプレス加工、または研削加工等の手段により磁性筒体２を形成する。次に、図５に示す第１の部品組付工程では、磁性筒体２の外周側に電磁コイル１１、磁性カバー１２および連結コア１３を挿嵌し、磁性カバー１２と磁性筒体２とを溶接等の手段により固着する。また、磁性筒体２の先端側内周に弁座部材５を溶接し、これらの磁性筒体２、弁座部材５、電磁コイル１１、磁性カバー１２、連結コア１３等からなる組付体１６を形成する。
【００４４】
次に、図６に示す樹脂カバー成形工程では、樹脂カバー１４とコネクタ１５とに対応した形状の成形空間１７Ａが設けられた樹脂型１７を用意し、この樹脂型１７内に組付体１６を配置する。この状態において、磁性筒体２は、樹脂カバー成形部２Ｃのみが成形空間１７Ａ内に露出した状態となる。また、磁性筒体２のアクチュエータ取付部２Ｂと磁性カバー１２の大径筒部１２Ａとの間に形成される環状の隙間空間は、図３に示す如く、電磁コイル１１と連結コア１３とによってほぼ閉塞された状態となっている。
【００４５】
そして、樹脂型１７内に樹脂材料を所定の射出圧で注入することにより、樹脂カバー成形部２Ｃ、磁性カバー１２等の外周側には、樹脂カバー１４とコネクタ１５とを一体化した状態で容易に射出成形することができる。このとき、樹脂カバー成形部２Ｃには樹脂材料の射出圧が加わるようになるが、この部位は厚肉に形成されているため、磁性筒体２の変形を防止することができる。
【００４６】
次に、図７に示す第２の部品組付工程では、磁性筒体２に対して弁体７、コア筒８、付勢ばね９、ばね受１０等を組付けることにより、噴射弁を組立てることができる。
【００４７】
かくして、本実施の形態によれば、磁性筒体２のうち弁座部材取付部２Ａとアクチュエータ取付部２Ｂとに亘る部位は、例えば０．１〜０．９ｍｍ程度、好ましくは０．２〜０．５ｍｍ程度の肉厚寸法ａを有する軸方向一側の薄肉部位Ａとして形成し、樹脂カバー成形部２Ｃは前記肉厚寸法ａに対して少なくとも０．１ｍｍ以上の大きな肉厚寸法ｂを有する軸方向他側の厚肉部位Ｂとして形成する構成としている。
【００４８】
これにより、磁性筒体２のうち弁座部材５、弁体７、電磁コイル１１等が配置される薄肉部位Ａを可能な限り薄肉に形成することができる。また、磁性筒体２の樹脂カバー成形部２Ｃは厚肉部位Ｂとして形成できるから、例えば樹脂カバー１４を射出成形するときには、このときの射出圧に対応した十分な強度を樹脂カバー成形部２Ｃに与えることができ、樹脂カバー成形部２Ｃが樹脂材料の射出圧によって変形するのを確実に防止することができる。
【００４９】
従って、本実施の形態によれば、磁性筒体２の強度を必要な部位で確保でき、樹脂カバー１４を円滑に樹脂成形できると共に、磁性筒体２の小型化を促進でき、磁性筒体２を含めて噴射弁全体を軽量化することができる。
【００５０】
また、磁性筒体２を金属パイプ等により一体に形成し、その途中部位に薄肉部２Ｄを設けたので、噴射弁の組立時には、例えばプレス加工、切削加工等の機械加工処理を金属パイプに施すだけで、磁気的な遮断部位となる薄肉部２Ｄが設けられた磁性筒体２を容易に形成でき、噴射弁の部品点数を削減して構造を簡略化することができる。
【００５１】
次に、図８及び図９は本発明による第２の実施の形態を示し、本実施の形態の特徴は、磁性筒体のうち電磁アクチュエータ等の取付部位も厚肉に形成する構成としたことにある。なお、本実施の形態では、前記第１の実施の形態と同一の構成要素に同一の符号を付し、その説明を省略するものとする。
【００５２】
２１は第１の実施の形態の弁ケーシング１に代えて用いられる弁ケーシング、２２は該弁ケーシング２１の本体部分を構成する磁性筒体で、該磁性筒体２２は、第１の実施の形態とほぼ同様に、弁座部材取付部２２Ａ、アクチュエータ取付部２２Ｂ、樹脂カバー成形部２２Ｃを含んで構成され、アクチュエータ取付部２２Ｂは、薄肉部２２Ｄによって弁体側筒部２２Ｂ1とコア筒側筒部２２Ｂ2とに分割されている。
【００５３】
しかし、弁座部材取付部２２Ａは、図９に示す如く、例えば０．１〜０．９ｍｍ程度、好ましくは０．２〜０．５ｍｍ程度の肉厚寸法ａ′を有する薄肉部位Ａ′として形成されている。また、アクチュエータ取付部２２Ｂと樹脂カバー成形部２２Ｃとに亘る部位は、薄肉部位Ａ′の肉厚寸法ａ′に対して少なくとも０．１ｍｍ以上の大きな肉厚寸法ｂ′を有する厚肉部位Ｂ′として形成されているものである。
【００５４】
かくして、このように構成される本実施の形態でも、第１の実施の形態とほぼ同様の作用効果を得ることができる。そして、特に本実施の形態では、磁性筒体２２のうちアクチュエータ取付部２２Ｂと樹脂カバー成形部２２Ｃとに亘る部位を厚肉に形成する構成としたので、樹脂カバー１４の成形時には、例えば電磁コイル１１、磁性カバー１２、連結コア１３等の間に存在する微小な隙間から樹脂材料がアクチュエータ取付部２２Ｂの外周側に侵入し、その圧力がアクチュエータ取付部２２Ｂに加わったとしても、アクチュエータ取付部２２Ｂが変形するのを確実に防止することができる。
【００５６】
【発明の効果】
以上詳述した通り、請求項１の発明によれば、磁性筒体は、磁性材料からなる単一の金属パイプを用いて弁座部材取付部、アクチュエータ取付部および樹脂カバー成形部を一体に形成すると共に、該樹脂カバー成形部の内径は、前記弁座部材取付部およびアクチュエータ取付部よりも大径に形成し、かつ前記磁性筒体は、前記弁座部材取付部とアクチュエータ取付部とに亘る肉厚寸法を０．１〜０．９ｍｍに形成し、この部位の肉厚寸法に対して前記樹脂カバー成形部の肉厚寸法を少なくとも０．１ｍｍ以上大きく形成する構成としたので、前記磁性筒体のうち弁座部材取付部とアクチュエータ取付部とに亘る部位を可能な限り薄肉に形成することができる。また、前記磁性筒体の樹脂カバー成形部を厚肉に形成できるから、この樹脂カバー成形部には、例えば樹脂カバーの成形時に加わる圧力等に応じた十分な強度を与えることができる。従って、磁性筒体の強度を必要な部位で確保でき、樹脂カバーを円滑に樹脂成形できると共に、磁性筒体の小型化を促進でき、噴射弁全体を軽量化することができる。
【００５７】
一方、請求項２の発明によれば、磁性筒体は、磁性材料からなる単一の金属パイプを用いて弁座部材取付部、アクチュエータ取付部および樹脂カバー成形部を一体に形成すると共に、該樹脂カバー成形部の内径は、前記弁座部材取付部およびアクチュエータ取付部よりも大径に形成し、かつ前記磁性筒体は、前記弁座部材取付部の肉厚寸法を０．１〜０．９ｍｍに形成し、この部位の肉厚寸法に対して前記アクチュエータ取付部と樹脂カバー成形部とに亘る肉厚寸法を少なくとも０．１ｍｍ以上大きく形成する構成としたので、前記磁性筒体のうち弁座部材取付部を可能な限り薄肉に形成できると共に、樹脂カバー成形部とアクチュエータ取付部とに亘る部位を厚肉に形成することができる。これにより、例えば樹脂カバー成形時の圧力等が電磁アクチュエータの近傍の隙間等を介してアクチュエータ取付部に加わったとしても、この部位が変形するのを確実に防止することができる。従って、磁性筒体の強度を必要な部位で確保でき、樹脂カバーを円滑に樹脂成形できると共に、磁性筒体を含めて噴射弁全体を軽量化することができる。
【００５８】
また、請求項３の発明によれば、磁性筒体のアクチュエータ取付部の内周側にはコア部材を設け、アクチュエータ取付部の外周側には電磁アクチュエータを設け、電磁アクチュエータの外周側には磁路形成部材を設ける構成としたので、電磁アクチュエータに給電したときには、弁体、コア部材、磁性筒体、磁路形成部材等を介して閉磁路を形成でき、弁体をコア部材により磁気的に吸着して安定的に開弁させることができる。
【００５９】
さらに、請求項４の発明によれば、樹脂カバーは、磁性筒体の樹脂カバー成形部の外周側にコネクタと一体に射出成形して設ける構成としたので、磁性筒体のうち厚肉に形成された樹脂カバー成形部の外周側に樹脂材料を射出成形でき、樹脂カバーとコネクタとを一体化した状態で容易に樹脂成形することができる。
【００６０】
また、請求項５の発明によれば、磁性筒体には、弁体とコア部材との間の隙間の位置で磁性筒体の磁気抵抗を増大させる薄肉部を設ける構成としたので、例えばプレス加工、切削加工等の機械加工処理を磁性筒体に施すだけで、磁気的な遮断部位となる薄肉部を容易に形成でき、電磁アクチュエータの作動時には、薄肉部によって弁体とコア部材との間に磁界を安定的に形成することができる。
【図面の簡単な説明】
【図１】本発明の第１の実施の形態による燃料噴射弁を示す縦断面図である。
【図２】燃料噴射弁の先端側を示す部分拡大断面図である。
【図３】図１中の矢示III−III方向からみた燃料噴射弁の拡大断面図である。
【図４】図１中の磁性筒体を単体で示す縦断面図である。
【図５】燃料噴射弁の組立時に磁性筒体に対して弁座部材、電磁コイル、磁性カバー、連結コア等を組付けた状態を示す縦断面図である。
【図６】磁性筒体等を樹脂型内に配置して樹脂カバーを樹脂成形する状態を示す縦断面図である。
【図７】磁性筒体に対して弁体、コア筒、付勢ばね、ばね受等を組付ける状態を示す縦断面図である。
【図８】本発明の第２の実施の形態による燃料噴射弁を示す縦断面図である。
【図９】図８中の磁性筒体を単体で示す縦断面図である。
【符号の説明】
１，２１  弁ケーシング
２，２２  磁性筒体
２Ａ，２２Ａ  弁座部材取付部
２Ｂ，２２Ｂ  アクチュエータ取付部
２Ｂ1，２Ｂ2，２２Ｂ1，２２Ｂ2  筒部
２Ｃ，２２Ｃ  樹脂カバー成形部
２Ｄ，２２Ｄ  薄肉部
３  燃料通路
５  弁座部材
５Ａ  噴射口
５Ｂ  弁座
７  弁体
８  コア筒（コア部材）
９  付勢ばね
１１  電磁コイル（電磁アクチュエータ）
１１Ａ  コイルボビン
１１Ｂ  コイル
１２  磁性カバー（磁路形成部材）
１３  連結コア
１４  樹脂カバー
１５  コネクタ
ａ，ｂ，ａ′，ｂ′  肉厚寸法
Ｓ  隙間
【図１】
0003798952.tif 000002
【図２】
0003798952.tif 000003
【図３】
0003798952.tif 000004
【図４】
0003798952.tif 000005
【図５】
0003798952.tif 000006
【図６】
0003798952.tif 000007
【図７】
0003798952.tif 000008
【図８】
0003798952.tif 000009
【図９】
0003798952.tif 000010